(57)【要約】【課題】ＲＦＩＤタグに接続用の情報を書き込んでいる無線クライアント端末でも無線アクセスポイントと確実に接続できる無線ＬＡＮシステムを提供する。【解決手段】無線アクセスポイント１は、本接続用無線設定情報１０ａと仮接続用無線設定情報１０ｃとを有し、無線クライアント端末２は、無線アクセスポイント１と無線接続を行う際に、アプリケーション２０を起動して、ＲＦＩＤタグ３から取得した仮接続用無線設定情報３０ｃと仮接続要求であることを示す情報として付加したエレメントビットとからなる仮接続用無線設定要求を無線アクセスポイント１に送信することにより、前記無線アクセスポイントとの間を仮接続した後、仮接続した無線アクセスポイント１から返送されてきた本接続用無線設定情報１０ａを用いて、無線アクセスポイント１に本仮接続用無線設定要求を送信することにより、無線アクセスポイント１との間を本接続する。【選択図】図１
2020068460.tif 000002
【特許請求の範囲】
【請求項１】
無線アクセスポイントと無線クライアント端末との間を無線接続し、
前記無線アクセスポイントは、
前記無線クライアント端末との間を仮接続するための仮接続用無線設定情報と、
前記無線クライアント端末との間を本接続するための本接続用無線設定情報と、
前記無線クライアント端末と無線通信を行う手段と、
を有し、
一方、前記無線クライアント端末は、
前記仮接続用無線設定情報を書き込んだＲＦＩＤタグから前記仮接続用無線設定情報を読み出す手段と、
前記無線アクセスポイントと無線通信を行う手段と、
を有し、
前記無線クライアント端末は、
前記無線アクセスポイントと無線接続を行う際に、前記ＲＦＩＤタグから前記仮接続用無線設定情報を読み出し、仮接続要求であることを示す情報としてあらかじめ定めたエレメントビットをさらに付加して、仮接続用無線設定要求（アソシエーション・リクエスト）として前記無線アクセスポイントに対して送信することにより、前記無線アクセスポイントとの間を仮接続し、
しかる後、仮接続した前記無線アクセスポイントから返送されてきた前記本接続用無線設定情報を用いて、前記無線アクセスポイントに対して本仮接続用無線設定要求（アソシエーション・リクエスト）を送信することにより、前記無線アクセスポイントとの間を本接続する、
ことを特徴とする無線ＬＡＮシステム。
【請求項２】
前記無線アクセスポイントは、
前記本接続用無線設定情報として、複数の無線設定情報を有している場合、
前記複数の無線接続情報の中から、いずれかの無線設定情報を前記無線クライアント端末との間を本接続するための無線設定情報としてあらかじめ選択して設定した無線選択用設定情報をさらに有し、
前記無線クライアント端末から前記仮接続用無線設定要求（アソシエーション・リクエスト）を受け取った際に、
前記無線選択用設定情報にあらかじめ設定されている無線設定情報を、仮接続要求元の前記無線クライアント端末との間を本接続するための前記本接続用無線設定情報として該無線クライアント端末に対して返送する、
ことを特徴とする請求項１に記載の無線ＬＡＮシステム。
【請求項３】
前記無線選択用設定情報は、前記無線クライアント端末と前記無線アクセスポイントとの間の本接続用の無線設定情報として前記無線クライアント端末側の利用者によりあらかじめ選択されて設定されている、
ことを特徴とする請求項２に記載の無線ＬＡＮシステム。
【請求項４】
前記無線アクセスポイントは、
前記本接続用無線設定情報として、複数の無線設定情報を有している場合、
前記無線クライアント端末から前記仮接続用無線設定要求（アソシエーション・リクエスト）を受け取った際に、
前記複数の無線接続情報の中から、仮接続要求元の前記無線クライアント端末との間を本接続することが可能な無線設定情報を抽出した本接続用無線設定情報リストを作成して、該無線クライアント端末に対して返送し、
前記無線クライアント端末は、
前記無線アクセスポイントから返送されてきた前記本接続用無線設定情報リストの中から、自無線クライアント端末と前記無線アクセスポイントとの間を本接続する無線設定情報を選択して、選択無線設定情報として前記無線アクセスポイントに対して送信することにより、該無線アクセスポイントから該選択無線設定情報を前記本接続用無線設定情報として受け取る、
ことを特徴とする請求項１に記載の無線ＬＡＮシステム。
【請求項５】
前記無線クライアント端末は、
前記仮接続用無線設定要求（アソシエーション・リクエスト）の送信先の前記無線アクセスポイントから、該仮接続用無線設定要求（アソシエーション・リクエスト）の応答として、前記エレメントビットを付した仮接続用無線設定応答（アソシエーション・レスポンス）を受け取った際に、
仮接続した前記無線アクセスポイントから前記本接続用無線設定情報リストが返送されてくることを待ち受ける、
ことを特徴とする請求項４に記載の無線ＬＡＮシステム。
【請求項６】
無線ＬＡＮシステムにおいて無線クライアント端末を無線アクセスポイントに無線接続し、
前記無線アクセスポイントは、
前記無線クライアント端末との間を仮接続するための仮接続用無線設定情報と、
前記無線クライアント端末との間を本接続するための本接続用無線設定情報と、
を保持するステップと、
前記無線クライアント端末と無線通信を行うステップと、
を有し、
一方、前記無線クライアント端末は、
前記仮接続用無線設定情報を書き込んだＲＦＩＤタグから前記仮接続用無線設定情報を読み出すステップと、
前記無線アクセスポイントと無線通信を行うステップと、
を有し、
前記無線クライアント端末は、
前記無線アクセスポイントと無線接続を行う際に、前記ＲＦＩＤタグから前記仮接続用無線設定情報を読み出し、仮接続要求であることを示す情報としてあらかじめ定めたエレメントビットをさらに付加して、仮接続用無線設定要求（アソシエーション・リクエスト）として前記無線アクセスポイントに対して送信することにより、前記無線アクセスポイントとの間を仮接続し、
しかる後、仮接続した前記無線アクセスポイントから返送されてきた前記本接続用無線設定情報を用いて、前記無線アクセスポイントに対して本仮接続用無線設定要求（アソシエーション・リクエスト）を送信することにより、前記無線アクセスポイントとの間を本接続する、
ことを特徴とする無線クライアント端末接続方法。
【請求項７】
前記無線アクセスポイントは、
前記本接続用無線設定情報として、複数の無線設定情報を有している場合、
前記複数の無線接続情報の中から、いずれかの無線設定情報を前記無線クライアント端末との間を本接続するための無線設定情報としてあらかじめ選択して設定した無線選択用設定情報を保持するステップをさらに有し、
前記無線クライアント端末から前記仮接続用無線設定要求（アソシエーション・リクエスト）を受け取った際に、
前記無線選択用設定情報にあらかじめ設定されている無線設定情報を、仮接続要求元の前記無線クライアント端末との間を本接続するための前記本接続用無線設定情報として該無線クライアント端末に対して返送する、
ことを特徴とする請求項６に記載の無線クライアント端末接続方法。
【請求項８】
前記無線選択用設定情報は、前記無線クライアント端末と前記無線アクセスポイントとの間の本接続用の無線設定情報として前記無線クライアント端末側の利用者によりあらかじめ選択されて設定されている、
ことを特徴とする請求項７に記載の無線クライアント端末接続方法。
【請求項９】
前記無線アクセスポイントは、
前記本接続用無線設定情報として、複数の無線設定情報を有している場合、
前記無線クライアント端末から前記仮接続用無線設定要求（アソシエーション・リクエスト）を受け取った際に、
前記複数の無線接続情報の中から、仮接続要求元の前記無線クライアント端末との間を本接続することが可能な無線設定情報を抽出した本接続用無線設定情報リストを作成して、該無線クライアント端末に対して返送し、
前記無線クライアント端末は、
前記無線アクセスポイントから返送されてきた前記本接続用無線設定情報リストの中から、自無線クライアント端末と前記無線アクセスポイントとの間を本接続する無線設定情報を選択して、選択無線設定情報として前記無線アクセスポイントに対して送信することにより、該無線アクセスポイントから該選択無線設定情報を前記本接続用無線設定情報として受け取る、
ことを特徴とする請求項６に記載の無線クライアント端末接続方法。
【請求項１０】
無線ＬＡＮシステムにおいて無線クライアント端末を無線アクセスポイントに無線接続する処理をコンピュータにより実行し、
前記無線クライアント端末における処理は、
前記無線アクセスポイントから送信されてくる自無線クライアント端末との間を本接続するための本接続用無線設定情報を受け取る機能と、
前記無線アクセスポイントとの間を仮接続するための仮接続用無線設定情報を書き込んだＲＦＩＤタグから前記仮接続用無線設定情報を読み出す機能と、
前記無線アクセスポイントと無線通信を行う機能と、
を有し、
前記無線クライアント端末における処理は、
前記無線アクセスポイントと無線接続を行う際に、前記ＲＦＩＤタグから前記仮接続用無線設定情報を読み出し、仮接続要求であることを示す情報としてあらかじめ定めたエレメントビットをさらに付加して、仮接続用無線設定要求（アソシエーション・リクエスト）として前記無線アクセスポイントに対して送信することにより、前記無線アクセスポイントとの間を仮接続する機能と、
しかる後、自無線クライアント端末との間を本接続するための本接続用無線設定情報が仮接続した前記無線アクセスポイントから返送されてきた際に、該本接続用無線設定情報を用いて、前記無線アクセスポイントに対して本仮接続用無線設定要求（アソシエーション・リクエスト）を送信することにより、前記無線アクセスポイントとの間を本接続するする機能と、
を有する、
ことを特徴とする無線クライアント端末接続プログラム。
【発明の詳細な説明】
【技術分野】
【０００１】
本発明は、無線ＬＡＮシステム、無線クライアント端末接続方法および無線クライアント端末接続プログラムに関し、特に、無線ＬＡＮルータのように、複数の無線設定情報のいずれを用いても無線設定することが可能な無線設定機能を有する無線アクセスポイントが設置された無線ＬＡＮシステム、無線クライアント端末接続方法および無線クライアント端末接続プログラムに関する。
【背景技術】
【０００２】
現状の技術の無線機器においては、通常、近距離無線通信用のＲＦＩＤ（Radio  Frequency  Identifier）の情報を設定するＲＦＩＤタグを利用することが可能になっている。しかし、現状の無線機器においては、一旦設定したＲＦＩＤの情報は、埋め込み値として固定されて、書き換えることは不可能である。
【０００３】
一例として、無線機器として、無線ＬＡＮ（Local  Area  Network）の親機である無線アクセスポイントに無線接続（Ｗｉ−Ｆｉ接続）して使用する無線クライアント端末を想定する。この無線クライアント端末として、例えば特許文献１の特開２０１２−１０５２１３号公報に記載の「無線ＬＡＮアクセスポイントおよび無線端末の接続維持方法」を上げることができる。この種の無線クライアント端末には、通常、該無線アクセスポイントへの接続用の無線設定情報をＲＦＩＤ情報としてＲＦＩＤタグに設定している。したがって、前記の特許文献１等にも記載されているように、無線アクセスポイントの無線設定情報(ＳＳＩＤ（Service  Set  Identifier）や暗号化パスワード等)が、初期値から変更された場合、初期値の無線設定において使用していたＲＦＩＤ情報をそのまま用いて、無線クライアント端末を変更後の該無線アクセスポイントに無線接続することが不可能になり、無線クライアント端末の利便性を損なっていた。
【０００４】
さらに、無線アクセスポイントは、一般的に、管理者接続用無線設定情報とゲスト接続用無線設定情報との２つの無線設定情報を有している。しかし、現状のＲＦＩＤタグにおいては、前述した通り、一旦設定したＲＦＩＤ情報の書き換えが不可能になるので、一つの無線設定用のＲＦＩＤ情報しか有していない無線クライアント端末の場合は、接続可能な無線アクセスポイントの無線設定状態が固定されてしまう。そのため、管理者接続用無線設定とゲスト接続用無線設定とのうち、いずれか一方の無線設定の場合にのみ接続することができ、他方の無線設定がなされた場合には接続することができなくなってしまう。
【０００５】
ＲＦＩＤタグに一つの無線設定用のＲＦＩＤ情報しか有していない無線クライアント端末と、管理者接続用無線設定情報とゲスト接続用無線設定情報との２つの無線設定情報を有している無線アクセスポイントとからなる現状の技術における無線ＬＡＮシステムの具体的な構成について、図５を参照してさらに説明する。図５は、現状の技術における無線ＬＡＮシステムの具体的な構成の一例を示す構成図である。
【０００６】
図５に示す無線ＬＡＮシステム１００Ａにおいては、親機の無線アクセスポイント１ＡにＷｉ−Ｆｉ接続（無線接続）される子機側の無線クライアント端末２ＡがＲＦＩＤタグ３Ａと近距離無線通信を行うことが可能な状態で配置されている。そして、無線アクセスポイント１Ａは、子機側の無線クライアント端末２ＡをＷｉ−Ｆｉ接続させるための無線設定情報１０Ａ（ＳＳＩＤや暗号化パスワード等）と、無線クライアント端末２Ａとの間の無線接続および無線通信を行う無線通信部１１Ａと、を有している。ここで、無線設定情報１０Ａとしては、例えば、第１本接続用無線設定情報１０Ａａおよび第２本接続用無線設定情報１０Ａｂとの２つの無線設定情報を有している。該２つの無線設定情報は互いに異なった内容の情報であり、例えば、第１本接続用無線設定情報１０Ａａは、管理者接続用の無線設定情報であり、第２本接続用無線設定情報１０Ａｂは、ゲスト接続用の無線設定情報である。
【０００７】
また、無線クライアント端末２Ａは、ＲＦＩＤタグ３Ａとの間で近距離無線通信を行うことにより所望の情報を取得するアプリケーション２０Ａと、無線アクセスポイント１Ａとの間の無線接続および無線通信を行う無線通信部２１Ａと、を有している。ここで、アプリケーション２０Ａは、ＲＦＩＤタグ３Ａに固定して書き込まれている無線設定情報３０Ａ、すなわち、無線アクセスポイント１ＡとのＷｉ−Ｆｉ接続用の無線設定情報３０Ａを取得する。
【０００８】
また、ＲＦＩＤタグ３Ａは、無線クライアント端末２Ａに関し無線アクセスポイント１Ａとの接続情報となる無線設定情報３０ＡをＲＦＩＤ情報として書き込んでいるが、無線アクセスポイント１Ａが有する２つの無線設定情報のうち、いずれか一方の無線設定情報を設定している。この無線設定情報は、図５においては、無線アクセスポイント１Ａにおける第１本接続用無線設定情報１０Ａａの設定内容と同一の情報からなる第１本接続用無線設定情報３０Ａａである。
【０００９】
次に、図５の無線ＬＡＮシステム１００Ａの動作について説明する。図５の無線ＬＡＮシステム１００Ａにおいては、無線クライアント端末２Ａが無線アクセスポイント１Ａとの間の無線通信を行おうとする際に、まず、無線クライアント端末２Ａのアプリケーション２０Ａによって、ＲＦＩＤタグ３Ａとの間の近距離無線通信を行って、該ＲＦＩＤタグ３Ａに設定されている第１本接続用無線設定情報３０Ａａを取得する。
【００１０】
しかる後、無線クライアント端末２Ａは、読み込んだ第１本接続用無線設定情報３０Ａａを無線通信部２１Ａによって無線アクセスポイント１Ａに送信して、無線アクセスポイント１Ａに対する無線接続（Ｗｉ−Ｆｉ接続）を試みる。無線アクセスポイント１Ａは、無線クライアント端末２Ａから送信されてきた第１本接続用無線設定情報３０Ａａを受け取ると、自無線アクセスポイント１Ａが保持している無線設定情報３０Ａのうち、現時点で設定して使用している無線設定情報が、無線クライアント端末２Ａから受け取った第１本接続用無線設定情報３０Ａａと同一の情報であるか否かを確認する。
【００１１】
無線アクセスポイント１Ａは、現時点で設定して使用している無線設定情報が受け取った第１本接続用無線設定情報３０Ａａと同一の情報からなる第１本接続用無線設定情報１０Ａａであった場合には、無線クライアント端末２Ａからの無線接続（Ｗｉ−Ｆｉ接続）を許可する。その結果、無線クライアント端末２Ａは、第１本接続用無線設定情報３０Ａａ（すなわち無線アクセスポイント１Ａ側の第１本接続用無線設定情報１０Ａａ）を用いたＷｉ−Ｆｉ接続を無線アクセスポイントとの間で無線設定を行うことができ、無線アクセスポイントとの間でＷｉ−Ｆｉ通信を行うことができる。
【００１２】
しかし、無線クライアント端末２Ａが無線アクセスポイント１Ａに対してＷｉ−Ｆｉ接続を要求した際に、無線アクセスポイント１Ａが、現時点で設定して使用している無線設定情報が、第１本接続用無線設定情報１０Ａａではなく、第２本接続用無線設定情報１０Ａｂに設定変更されている場合もある。かかる場合には、無線クライアント端末２Ａが第１本接続用無線設定情報３０Ａａを用いて無線アクセスポイント１Ａに対してＷｉ−Ｆｉ接続（無線接続）を試みても、無線アクセスポイント１Ａは、現時点で設定して使用している無線設定情報が、受け取った第１本接続用無線設定情報３０Ａａとは異なった情報になっている。
【００１３】
したがって、無線アクセスポイント１Ａは、無線クライアント端末２Ａからの無線接続（Ｗｉ−Ｆｉ接続）要求を許可しない。その結果、無線クライアント端末２Ａは、無線アクセスポイント１との間のＷｉ−Ｆｉ接続用としてＲＦＩＤタグ３Ａに書き込まれた第１本接続用無線設定情報３０Ａａを用いても、無線アクセスポイントとの間でＷｉ−Ｆｉ接続を行うことはできなくなる。
【００１４】
また、無線アクセスポイント１Ａに現時点で設定して使用している無線設定情報が、第１本接続用無線設定情報１０Ａａから設定変更された場合だけでなく、現時点で使用している無線設定情報として第２本接続用無線設定情報１０Ａｂが設定されていた場合についても、同様であり、無線クライアント端末２Ａは、第１本接続用無線設定情報３０Ａａを用いて無線アクセスポイント１ＡにＷｉ−Ｆｉ接続を行うことはできない。
【先行技術文献】
【特許文献】
【００１５】
【特許文献１】特開２０１２-１０５２１３号公報
【発明の概要】
【発明が解決しようとする課題】
【００１６】
以上のように、本発明に関連する現状の技術においては、次に述べる解決するべき課題がある。
【００１７】
つまり、ＲＦＩＤの情報は書き換え不能な固有の情報であり、書き込み後はＦＲＩＤの情報の書き換えは不可能であるという解決するべき課題がある。
【００１８】
すなわち、「無線ＬＡＮの無線アクセスポイントに対するＷｉ−Ｆｉ接続（無線接続）用の初期値として設定されている無線設定情報をＲＦＩＤタグに書き込んでいる無線クライアント端末において、該ＲＦＩＤタグの情報を用いて無線アクセスポイントにＷｉ−Ｆｉ接続する場合、現状の技術においては、無線アクセスポイントの無線設定(ＳＳＩＤや暗号化パスワード等)を初期値から変更してしまうと、無線クライアント端末は、該ＲＦＩＤタグに書き込んでいる情報を変更することができないので、無線アクセスポイントに無線接続を行うことが不可能になる。
【００１９】
さらに、無線アクセスポイントは、一般的に、管理者接続用無線設定情報とゲスト接続用無線設定情報との２つ無線設定情報を有しているが、前述したように、無線アクセスポイントとのＷｉ−Ｆｉ接続用の無線設定情報としてＲＦＩＤの情報を使用する無線クライアント端末は、無線アクセスポイントのいずれか一方の無線設定情報が設定されている場合にしか接続することができないという、解決するべき課題もある。
【００２０】
（本開発の目的）
本開発の目的は、かかる課題に鑑み、無線アクセスポイントとのＷｉ−Ｆｉ接続（無線接続）を行うための無線設定情報をＲＦＩＤタグに書き込んで使用する無線クライアント端末であっても、無線アクセスポイントが使用する無線設定情報の変更の有無に拘らず、該無線アクセスポイントと確実にＷｉ−Ｆｉ接続（無線接続）を行うことが可能な無線ＬＡＮシステム、無線クライアント端末接続方法および無線クライアント端末接続プログラムの提供にある。
【課題を解決するための手段】
【００２１】
前述の課題を解決するため、本発明による無線ＬＡＮシステム、無線クライアント端末接続方法および無線クライアント端末接続プログラムは、主に、次のような特徴的な構成を採用している。
【００２２】
（１）本発明による無線ＬＡＮシステムは、
無線アクセスポイントと無線クライアント端末との間を無線接続し、
前記無線アクセスポイントは、
前記無線クライアント端末との間を仮接続するための仮接続用無線設定情報と、
前記無線クライアント端末との間を本接続するための本接続用無線設定情報と、
前記無線クライアント端末と無線通信を行う手段と、
を有し、
一方、前記無線クライアント端末は、
前記仮接続用無線設定情報を書き込んだＲＦＩＤタグから前記仮接続用無線設定情報を読み出す手段と、
前記無線アクセスポイントと無線通信を行う手段と、
を有し、
前記無線クライアント端末は、
前記無線アクセスポイントと無線接続を行う際に、前記ＲＦＩＤタグから前記仮接続用無線設定情報を読み出し、仮接続要求であることを示す情報としてあらかじめ定めたエレメントビットをさらに付加して、仮接続用無線設定要求（アソシエーション・リクエスト）として前記無線アクセスポイントに対して送信することにより、前記無線アクセスポイントとの間を仮接続し、
しかる後、仮接続した前記無線アクセスポイントから返送されてきた前記本接続用無線設定情報を用いて、前記無線アクセスポイントに対して本仮接続用無線設定要求（アソシエーション・リクエスト）を送信することにより、前記無線アクセスポイントとの間を本接続する、
ことを特徴とする。
【００２３】
（２）本発明による無線クライアント端末接続方法は、
無線ＬＡＮシステムにおいて無線クライアント端末を無線アクセスポイントに無線接続し、
前記無線アクセスポイントは、
前記無線クライアント端末との間を仮接続するための仮接続用無線設定情報と、
前記無線クライアント端末との間を本接続するための本接続用無線設定情報と、
を保持するステップと、
前記無線クライアント端末と無線通信を行うステップと、
を有し、
一方、前記無線クライアント端末は、
前記仮接続用無線設定情報を書き込んだＲＦＩＤタグから前記仮接続用無線設定情報を読み出すステップと、
前記無線アクセスポイントと無線通信を行うステップと、
を有し、
前記無線クライアント端末は、
前記無線アクセスポイントと無線接続を行う際に、前記ＲＦＩＤタグから前記仮接続用無線設定情報を読み出し、仮接続要求であることを示す情報としてあらかじめ定めたエレメントビットをさらに付加して、仮接続用無線設定要求（アソシエーション・リクエスト）として前記無線アクセスポイントに対して送信することにより、前記無線アクセスポイントとの間を仮接続し、
しかる後、仮接続した前記無線アクセスポイントから返送されてきた前記本接続用無線設定情報を用いて、前記無線アクセスポイントに対して本仮接続用無線設定要求（アソシエーション・リクエスト）を送信することにより、前記無線アクセスポイントとの間を本接続する、
ことを特徴とする。
【００２４】
（３）本発明による無線クライアント端末接続プログラムは、
無線ＬＡＮシステムにおいて無線クライアント端末を無線アクセスポイントに無線接続する処理をコンピュータにより実行し、
前記無線クライアント端末における処理は、
前記無線アクセスポイントから送信されてくる自無線クライアント端末との間を本接続するための本接続用無線設定情報を受け取る機能と、
前記無線アクセスポイントとの間を仮接続するための仮接続用無線設定情報を書き込んだＲＦＩＤタグから前記仮接続用無線設定情報を読み出す機能と、
前記無線アクセスポイントと無線通信を行う機能と、
を有し、
前記無線クライアント端末における処理は、
前記無線アクセスポイントと無線接続を行う際に、前記ＲＦＩＤタグから前記仮接続用無線設定情報を読み出し、仮接続要求であることを示す情報としてあらかじめ定めたエレメントビットをさらに付加して、仮接続用無線設定要求（アソシエーション・リクエスト）として前記無線アクセスポイントに対して送信することにより、前記無線アクセスポイントとの間を仮接続する機能と、
しかる後、自無線クライアント端末との間を本接続するための本接続用無線設定情報が仮接続した前記無線アクセスポイントから返送されてきた際に、該本接続用無線設定情報を用いて、前記無線アクセスポイントに対して本仮接続用無線設定要求（アソシエーション・リクエスト）を送信することにより、前記無線アクセスポイントとの間を本接続するする機能と、
を有する、
ことを特徴とする。
【発明の効果】
【００２５】
本発明の無線ＬＡＮシステム、無線クライアント端末接続方法および無線クライアント端末接続プログラムによれば、無線ＬＡＮシステムにおいて、無線クライアント端末は、無線アクセスポイントと一旦仮接続することにより本接続用の無線設定情報を取得して本接続を行うという２段階のＷｉ−Ｆｉ接続（無線接続）を行う仕組みを有しているので、主に、以下のような効果を奏することができる。
【００２６】
第１の効果は、無線アクセスポイントにて無線設定を変更した場合であっても、無線クライアント端末は、同一の無線設定情報を書き込んでいるＲＦＩＤタグをそのまま用いて、無線アクセスポイントとの間のＷｉ−Ｆｉ接続（無線接続）を本接続用として設定して、無線通信を行うことができることである。
【００２７】
第２の効果は、無線アクセスポイントが有している複数の無線設定情報のいずれの無線設定情報に対しても、無線クライアント端末は、同一の無線設定情報を書き込んでいるＲＦＩＤタグをそのまま用いて、無線アクセスポイントとの間のＷｉ−Ｆｉ接続（無線接続）を本接続用として設定して、無線通信を行うことができることである。
【図面の簡単な説明】
【００２８】
【図１】本発明に係る無線ＬＡＮシステムの具体的な構成の一例を示す構成図である。
【図２】図１に示した無線ＬＡＮシステムにおける信号の流れの前半部分の一例を示すシーケンスチャートである。
【図３】図１に示した無線ＬＡＮシステムにおける図２に引き続く後半部分の信号の流れの一例を示すシーケンスチャートである。
【図４Ａ】図１に示した無線ＬＡＮシステムにおける信号の流れの図２、図３とは異なる一例を示すシーケンスチャートの前半部分である。
【図４Ｂ】図１に示した無線ＬＡＮシステムにおける信号の流れの図２、図３とは異なる一例を示すシーケンスチャートの後半部分である。
【図５】現状の技術における無線ＬＡＮシステムの具体的な構成の一例を示す構成図である。
【発明を実施するための形態】
【００２９】
以下、本発明による無線ＬＡＮシステム、無線クライアント端末接続方法および無線クライアント端末接続プログラムの好適な実施形態について添付図を参照して説明する。なお、以下の説明においては、本発明による無線ＬＡＮシステムおよび無線クライアント端末接続方法について説明するが、かかる無線クライアント端末接続方法をコンピュータにより実行可能な無線クライアント端末接続プログラムとして実施するようにしても良いし、あるいは、無線クライアント端末接続プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００３０】
（本発明の特徴）
本発明の実施形態の説明に先立って、本発明の特徴についてその概要をまず説明する。本発明においては、無線ＬＡＮシステムにおいて、無線クライアント端末が、無線アクセスポイントと接続する無線接続情報を書き込む媒体として書き換えが不可能なＲＦＩＤタグを用いていても、無線アクセスポイントとの間を仮接続した後、無線アクセスポイントから取得した本接続用の情報に基づいて、無線アクセスポイントと本接続することを主要な特徴としている。
【００３１】
すなわち、無線クライアント端末と近距離無線通信を行うＲＦＩＤタグに無線アクセスポイントの仮接続用無線設定情報を無線設定情報としてあらかじめ書き込んで設定しておき、無線クライアント端末が無線アクセスポイントとＷｉ−Ｆｉ接続を行う際に、無線クライアント端末がＲＦＩＤタグに書き込まれている仮接続用無線設定情報を読み込んで、まず、無線アクセスポイントとの間を仮接続する。そして、仮接続した後に、無線アクセスポイントが、仮接続している無線クライアント端末に対して、本接続用の無線設定情報を送信することによって、無線クライアント端末を無線アクセスポイントに本接続させることを、本発明の主要な特徴としている。
【００３２】
本発明の特徴をさらに説明すると、次の通りである。一意の仮接続用無線設定情報をＲＦＩＤタグ内にあらかじめ埋め込み、実際の通信において使用する本接続用の無線設定を行う前段階として、仮接続用の無線設定情報を使って、無線クライアント端末と無線アクセスポイントとの間の仮接続を行う。しかる後、無線アクセスポイントから無線クライアント端末へ本接続用の無線設定情報を送信させることにより、無線クライアント端末は、無線アクセスポイントからの該本接続用の無線設定情報を用いて、無線アクセスポイントと本接続を行うことを主要な特徴としている。
【００３３】
而して、複数の無線設定情報を有するような無線アクセスポイントであっても、該無線アクセスポイントに対してＷｉ−Ｆｉ接続（無線接続）する無線クライアント端末は、無線アクセスポイントが使用する無線設定情報の設定変更の有無に依らず、同一の無線設定情報が仮接続用無線設定情報として書き込まれているＲＦＩＤタグを用いて、無線アクセスポイントとの間の本接続を確実に行うことができる。つまり、無線アクセスポイントが現時点で使用する無線設定情報を変更した場合であっても、前段に無線アクセスポイントとの間の仮接続を行うことによって、無線クライアント端末は、無線アクセスポイントの無線設定の変更に応じて、本接続用の設定を変更することができ、一つ無線設定情報のみが埋め込まれているＲＦＩＤタグを用いても、無線アクセスポイントと確実にＷｉ−Ｆｉ接続（無線接続）することができる。
【００３４】
さらに、本発明は、次のような特徴も有している。すなわち、無線アクセスポイントとの間を仮接続する際に、無線クライアント端末が無線接続要求用の無線信号として無線アクセスポイントに送信する仮接続用無線設定要求（アソシエーション・リクエスト：Association  Request）のあらかじめ定めた特定領域に、仮接続要求であることを示す情報として（言い換えると、仮接続後の本接続を実施するための本接続用無線設定情報の選択を指示する情報として）あらかじめ定めたエレメントビットを付加する。
【００３５】
そして、該仮接続用無線設定要求（アソシエーション・リクエスト：Association  Request）を受信した無線アクセスポイントにおいて、前記エレメントビットが付加されているか否かを分析して、付加されていた場合には、接続要求元の無線クライアント端末との本接続用の無線設定情報を、自無線アクセスポイントに選択無線設定情報としてあらかじめ設定されている無線設定情報を参照することにより取得することも、本発明の主要な特徴の一つである。
【００３６】
而して、複数の無線プロファイルの中から該当する無線設定情報を、接続要求元の無線クライアント端末との間を本接続用として無線接続するために選択して自無線アクセスポイントに設定するとともに、該無線クライアント端末に対して送信することができる。つまり、無線アクセスポイントが複数の無線設定情報を有している場合であっても、無線クライアント端末の利用者は、無線アクセスポイントに接続可能になる任意の無線設定を行って、該無線アクセスポイントに接続することができる。
【００３７】
（本発明の実施形態の構成例）
次に、本発明に係る無線ＬＡＮシステムの構成例について図１を参照しながら詳細に説明する。図１は、本発明に係る無線ＬＡＮシステムの具体的な構成の一例を示す構成図である。
【００３８】
図１に示す無線ＬＡＮシステム１００においても、図５に現状の技術として示した無線ＬＡＮシステム１００Ａの場合と同様に、親機の無線アクセスポイント１にＷｉ−Ｆｉ接続される子機側の無線クライアント端末２は、ＲＦＩＤタグ３と近距離無線通信を行うことが可能な状態で配置されている。無線アクセスポイント１は、子機側の無線クライアント端末２をＷｉ−Ｆｉ接続させるための無線設定情報１０（ＳＳＩＤや暗号化パスワード等）と、無線通信部１１、無線設定選択実施判断部１２、無線設定情報選択部１３と、を有している。ここで、無線設定情報１０としては、例えば、第１本接続用無線設定情報１０ａおよび第２本接続用無線設定情報１０ｂとの２つの本接続用の無線設定情報の他に、仮接続用無線設定情報１０ｃと無線選択用設定情報１０ｄとをさらに有している。
【００３９】
無線通信部１１は、図５に現状の技術として示した無線ＬＡＮシステム１００Ａの場合と同様、無線クライアント端末２との間の無線接続および無線通信を行う機能を有している。
【００４０】
また、無線設定選択実施判断部１２は、無線クライアント端末２から無線接続要求用の無線信号として送信されてくる仮接続用無線設定要求（アソシエーション・リクエスト：Association  Request）にＲＦＩＤタグ３の無線設定情報３０（すなわち仮接続用無線設定情報３０ｃ）の他に、仮接続要求であることを示す情報としてエレメントビットが付加されているか否かを分析する。そして、該エレメントビットが付加されていた場合には、無線設定情報選択部１３を起動する。無線設定情報選択部１３は、本接続用無線設定情報選択処理を実施して、自無線アクセスポイント１の無線選択用設定情報１０ｄに設定されている情報を参照して、仮接続用無線設定要求（アソシエーション・リクエスト：Association  Request）の送信元の無線クライアント端末２との間の本接続用として指定されている無線設定情報を選択して、自無線アクセスポイント１に無線設定するとともに、要求元の無線クライアント端末２に対して送信する。
【００４１】
なお、無線設定情報１０における２つの本接続用の無線設定情報は、図５に現状の技術として示した無線ＬＡＮシステム１００Ａの場合と同様、互いに異なった内容の情報であり、例えば、第１本接続用無線設定情報１０ａは、管理者接続用の無線設定情報であり、第２本接続用無線設定情報１０ｂは、ゲスト接続用の無線設定情報である。
【００４２】
また、仮接続用無線設定情報１０ｃは、自無線アクセスポイント１と無線クライアント端末２との間を仮接続する際に使用される無線設定情報であり、１個のみで十分である。
【００４３】
また、無線選択用設定情報１０ｄは、無線アクセスポイント１が複数有している無線設定情報のうち、無線クライアント端末２の利用者がいずれの無線設定情報を自無線クライアント端末２との間の本接続用としてあらかじめ選択しているのかを示す情報が設定されている。
【００４４】
また、無線クライアント端末２は、図５に現状の技術として示した無線クライアント端末２Ａの場合と同様、ＲＦＩＤタグ３との間で近距離無線通信を行うことができ、かつ、無線アクセスポイント１との間の無線接続設定処理を行うアプリケーション２０と、無線アクセスポイント１との間の無線接続および無線通信を行う無線通信部２１と、を有している。ここで、アプリケーション２０は、ＲＦＩＤタグ３に書き込まれて設定されている無線設定情報３０、すなわち、無線アクセスポイント１とのＷｉ−Ｆｉ接続用の無線設定情報３０を取得する。
【００４５】
さらに、アプリケーション２０は、図５に示したアプリケーション２０Ａの場合とは異なり、次のような機能も有している。すなわち、自無線クライアント端末２を無線アクセスポイント１と仮接続するために無線アクセスポイントに送信する仮接続用無線設定要求（アソシエーション・リクエスト：Association  Request）のあらかじめ定めた特定領域例えばデータ領域に、仮接続要求であることを示す情報として（言い換えると、仮接続後の本接続を実施するための本接続用無線設定情報の選択を指示する情報として）あらかじめ定めたエレメントビットを付加する機能も有している。
【００４６】
そして、無線通信部２１は、無線アクセスポイント１に対して無線接続要求用の無線信号として送信する仮接続用無線設定要求（アソシエーション・リクエスト：Association  Request）には、アプリケーション２０において取得したＲＦＩＤタグ３の無線設定情報３０とともに、アプリケーション２０においてさらに付加したエレメントビットも含めて送信する。なお、エレメントビットについては、後述の本実施形態の動作の説明において詳細に説明することとし、ここでの詳細な説明は割愛する。
【００４７】
また、ＲＦＩＤタグ３は、無線クライアント端末２の無線アクセスポイント１との接続情報となる無線設定情報３０をＲＦＩＤ情報として書き込んでいる。なお、ＲＦＩＤタグ３には、図５に現状の技術として示したＲＦＩＤタグ３Ａの場合とは異なり、無線アクセスポイント１が有する本接続用無線設定情報（第１本接続用無線設定情報１０ａや第２本接続用無線設定情報１０ｂ）のいずれか一方の設定内容と同一の情報ではなく、無線アクセスポイント１が有する仮接続用無線設定情報１０ｃの設定内容と同一の情報からなる仮接続用無線設定情報３０ｃが設定されている。
【００４８】
（本発明の実施形態の動作の説明）
次に、本発明の一実施形態として図１に示した無線ＬＡＮシステム１００の動作の一例について、図２および図３のシーケンスチャートを参照しながら詳細に説明する。図２は、図１に示した無線ＬＡＮシステム１００における信号の流れの前半部分の一例を示すシーケンスチャートであり、無線アクセスポイント１と無線クライアント端末２との間を仮接続するまでの信号シーケンスの一例を示している。また、図３は、図１に示した無線ＬＡＮシステムにおける図２に引き続く後半部分の信号の流れの一例を示すシーケンスチャートであり、無線アクセスポイント１と無線クライアント端末２との間を仮接続した時点から本接続するまでの信号シーケンスの一例を示している。
【００４９】
まず、図２のシーケンスチャートを用いて、無線アクセスポイント１と無線クライアント端末２との間を仮接続するまでの信号の流れについて説明する。
【００５０】
無線アクセスポイント１との間をＷｉ−Ｆｉ接続しようとする際に、無線クライアント端末２は、アプリケーション２０を起動して、近距離無線通信を用いて、ＲＦＩＤタグ３から、仮接続用無線設定情報３０ｃの読み込みを指示する（シーケンスＳｅｑ１）。その結果、無線クライアント端末２は、ＲＦＩＤタグ３に設定されている仮接続用無線設定情報３０ｃを取得する（シーケンスＳｅｑ２）。ここで、仮接続用無線設定情報３０ｃは、無線アクセスポイント１と無線クライアント端末２との間の無線接続に関し、仮接続を行うための設定情報として、無線アクセスポイント１の無線設定情報１０に設定されている仮接続用無線設定情報１０ｃと全く同一の情報である。
【００５１】
無線クライアント端末２は、ＲＦＩＤタグ３から仮接続用無線設定情報３０ｃを取得すると、仮接続用無線設定情報３０ｃによる認証を得るために、仮接続用オーセンティケーション(Authentication)に関する情報を、無線アクセスポイント１との間で交換し合うことにより、無線クライアント端末２と無線アクセスポイント１との間で仮接続用無線設定情報による認証を行う（シーケンスＳｅｑ３）。ここでの認証動作は、通常の無線ＬＡＮシステムにおいて実施されている一般的な無線接続におけるオーセンティケーション(Authentication)と同一のもので構わない。
【００５２】
無線アクセスポイント１との間の仮接続用無線設定情報による認証が得られると、無線クライアント端末２は、アプリケーション２０により特定のエレメントビットを付加した仮接続用無線設定要求（アソシエーション・リクエスト：Association  Request）を、無線接続要求として、無線アクセスポイント１に対して送信する（シーケンスＳｅｑ４）。本実施形態において、特定のエレメントビットとは、仮接続要求であることを示す情報として（言い換えると、仮接続後の本接続を実施するための本接続用無線設定情報の選択を指示する情報として）、仮接続用無線設定要求（アソシエーション・リクエスト：Association  Request）のデータ領域のあらかじめ定めたいずれかのビットを“１”に設定することを意味している。
【００５３】
無線アクセスポイント１は、無線クライアント端末２から仮接続用無線設定要求（アソシエーション・リクエスト：Association  Request）を受け取ると、無線設定選択実施判断部１２を起動して、受け取った仮接続用無線設定要求（アソシエーション・リクエスト：Association  Request）に特定のエレメントビットが付加されているか否かを確認する（シーケンスＳｅｑ５）。無線アクセスポイント１は、無線設定選択実施判断部１２において、受け取った仮接続用無線設定要求（アソシエーション・リクエスト：Association  Request）に特定のエレメントビットが付加されていると判断した場合には、本接続用の無線設定情報を選択する本接続用無線設定選択処理を実施する（シーケンスＳｅｑ６）。
【００５４】
本接続用無線設定情報選択処理においては、無線アクセスポイント１は、無線設定情報選択部１３を起動して、自無線アクセスポイント１の無線選択用設定情報１０ｄを参照する。そして、当該仮接続用無線設定要求（アソシエーション・リクエスト：Association  Request）の送信元の無線クライアント端末２に関して本接続用としてあらかじめ設定されている無線設定情報を選択する。
【００５５】
なお、無線選択用設定情報１０ｄには、無線アクセスポイント１が複数有している無線設定情報のうち、無線クライアント端末２の利用者がいずれの無線設定情報を本接続用として指定しているかということを示す情報があらかじめ設定されている。図１に示す本実施形態においては、第１本接続用無線設定情報１０ａと第２本接続用無線設定情報１０ｂとの２つの本接続用の無線設定情報のうちいずれか一方の無線設定情報を、無線クライアント端末２の利用者が、本接続用の無線設定情報として事前に選択することにより、無線アクセスポイント１の無線選択用設定情報１０ｄに設定している。
【００５６】
しかる後、無線アクセスポイント１は、仮接続用無線設定要求（アソシエーション・リクエスト：Association  Request）に対する応答として、該仮接続用無線設定要求（アソシエーション・リクエスト：Association  Request）の送信元の無線クライアント端末２に対して、仮接続用無線設定応答（アソシエーション・レスポンス：Association  Response）を送信して（シーケンスＳｅｑ７）、仮接続用無線設定情報による無線アクセスポイント１と無線クライアント端末２との間のＷｉ−Ｆｉ接続（無線接続）を完了する。
【００５７】
なお、該仮接続用無線設定応答（アソシエーション・レスポンス：Association  Response）には、仮接続用無線設定要求（アソシエーション・リクエスト：Association  Request）に付加されてきた特定のエレメントビットがそのまま付加された状態になっている。したがって、特定のエレメントビットが付加された状態の仮接続用無線設定応答（アソシエーション・レスポンス：Association  Response）を受け取ると、無線クライアント端末２は、本接続用無線設定待受状態遷移処理に移行して(シーケンスＳｅｑ８)、無線アクセスポイント１から本接続用の無線設定情報が送信されてくるのを待ち受ける状態になる。
【００５８】
次に、図３のシーケンスチャートを用いて、仮接続状態になっている無線アクセスポイント１と無線クライアント端末２との間を本接続にするまでの信号の流れについて説明する。
【００５９】
図２のシーケンスチャートにおいて前述したように、無線アクセスポイント１と無線クライアント端末２との間を仮接続用無線設定情報による無線接続を終了させた後は、無線クライアント端末２は、無線アクセスポイント１から本接続用の無線設定情報が送信されてくるのを待ち受ける状態になっている。かかる待ち受け状態において、図３のシーケンスチャートに移ると、無線アクセスポイント１は、本接続用無線設定情報を無線クライアント端末２に対して送信する（シーケンスＳｅｑ９ＡまたはシーケンスＳｅｑ９Ｂ）。
【００６０】
ここで、無線アクセスポイント１が送信する本接続用無線設定情報は、図２のシーケンスＳｅｑ６の本接続用無線設定情報選択処理において無線設定情報選択部１３により選択された本接続用無線設定情報である。図１に示す本実施形態においては、本接続用無線設定情報選択処理にて第１本接続用無線設定情報１０ａが選択されていた場合には、無線アクセスポイント１は、第１本接続用無線設定情報１０ａを本接続用無線設定情報として無線クライアント端末２に対して送信する（シーケンスＳｅｑ９Ａ）。一方、本接続用無線設定情報選択処理にて第２本接続用無線設定情報１０ｂが選択されていた場合には、無線アクセスポイント１は、第２本接続用無線設定情報１０ｂを本接続用無線設定情報として無線クライアント端末２に対して送信する（シーケンスＳｅｑ９Ｂ）。
【００６１】
無線アクセスポイント１から送信されてきた本接続用無線設定情報を受け取ると、無線クライアント端末２は、受け取った本接続用無線設定情報を用いて、本接続用オーセンティケーション(Authentication)を無線アクセスポイント１との間で実施する（シーケンスＳｅｑ１０）。ここでの認証動作についても、図２のシーケンスＳｅｑ３における仮接続用オーセンティケーション(Authentication)の場合と同様、通常の無線ＬＡＮシステムにて実施されている一般的な無線接続におけるオーセンティケーション(Authentication)と同一のもので構わない。
【００６２】
そして、互いの認証が得られると、無線クライアント端末２は、本接続用無線設定情報を用いて、本接続用無線設定要求（アソシエーション・リクエスト：Association  Request）を、無線アクセスポイント１に送信する（シーケンスＳｅｑ１１）。その結果、無線アクセスポイント１は、送信元の無線クライアント端末２との無線接続状態を、仮接続状態から本接続状態に設定し直す。なお、ここでの本接続用無線設定要求（アソシエーション・リクエスト：Association  Request）については、本接続用であるので、図２のシーケンスＳｅｑ４における仮接続用無線設定要求（アソシエーション・リクエスト：Association  Request）の場合とは異なり、特定のエレメントビットを付加することがなく、通常の無線ＬＡＮシステムにて実施されている一般的な無線接続と同一のもので構わない。
【００６３】
しかる後、無線アクセスポイント１は、本接続用無線設定要求（アソシエーション・リクエスト：Association  Request）の送信元の無線クライアント端末２に対して、本接続用無線設定応答（アソシエーション・レスポンス：Association  Response）を送信して（シーケンスＳｅｑ１２）、本接続用無線設定情報による無線アクセスポイント１と無線クライアント端末２との間のＷｉ−Ｆｉ接続（無線接続）動作を完了する。
【００６４】
（本発明の実施形態の効果の説明）
以上に詳細に説明したように、本実施形態においては、無線ＬＡＮシステム１００において、無線クライアント端末２は、無線アクセスポイント１と一旦仮接続することにより本接続用の無線設定情報を取得して本接続を行うという２段階のＷｉ−Ｆｉ接続（無線接続）を行う仕組みを有しているので、主に、次のような効果が得られる。
【００６５】
第１の効果は、無線アクセスポイント１にて無線設定を変更した場合であっても、無線クライアント端末２は同一の無線設定情報を書き込んでいるＲＦＩＤタグ３をそのまま用いて、無線アクセスポイント１との間のＷｉ−Ｆｉ接続（無線接続）を本接続用として設定して、無線通信を行うことができることである。
【００６６】
第２の効果は、無線アクセスポイント１が有している複数の無線設定情報のいずれの無線設定情報に対しても、無線クライアント端末２は同一の無線設定情報を書き込んでいるＲＦＩＤタグ３をそのまま用いて、無線アクセスポイント１との間のＷｉ−Ｆｉ接続（無線接続）を本接続用として設定して、無線通信を行うことができることである。
【００６７】
（本発明の他の実施形態） 
次に、本発明に係る無線ＬＡＮシステム１００の前述の実施形態とは異なる他の実施形態についてさらに説明する。前述の実施形態においては、図２のシーケンスＳｅｑ６に示したように、本接続用無線設定情報選択処理を、無線アクセスポイント１側の無線設定情報選択部１３によって実施する場合について説明したが、該本接続用無線設定情報選択処理を、無線クライアント端末２側のアプリケーション２０によって実施するようにしても良い。
【００６８】
図４は、図１に示した無線ＬＡＮシステム１００における信号の流れの図２、図３とは異なる一例を示すシーケンスチャートである。図４のシーケンスチャートは、紙面の大きさの制限から、図４Ａおよび図４Ｂに分けて描いてある。図４Ａの下端に○で囲んだＡは、図４Ｂの上端に○で囲んだＡに繋がっている。したがって、図４Ａに描いてある縦方向の３本の線は、図４Ｂに描いてある縦方向の３本の線に直接繋がっている。以下では、図４は、図４Ａと図４Ｂとが繋がった図を指している。図４のシーケンスチャートは、無線クライアント端末２側のアプリケーション２０によって本接続用無線設定情報選択処理を実施する場合の一例を示している。なお、図４のシーケンスチャートにおいて、図２、図３と同じ処理を行うシーケンスについては、図２、図３と同じシーケンス番号を付して、ここでの重複する説明は割愛する。すなわち、図４においては、シーケンスＳｅｑ１〜シーケンスＳｅｑ４、シーケンスＳｅｑ９Ａ、Ｓｅｑ９Ｂ〜シーケンスＳｅｑ１２の各シーケンスにおける処理は、図２、図３の場合と全く同一であり、ここでは重複する説明を行わない。
【００６９】
まず、図４のシーケンスチャートにおいて、無線アクセスポイント１は、仮接続用無線設定要求（アソシエーション・リクエスト：Association  Request）を無線クライアント端末２から受け取ると（シーケンスＳｅｑ４）、無線設定選択実施判断部１２を起動するが、図２の場合のシーケンスＳｅｑ５の場合とは異なり、無線設定選択実施判断部１２においては、無線設定選択実施判断処理ではなく、本接続用無線設定情報リスト作成判断処理を行い、無線クライアント端末２から受け取った仮接続用無線設定要求（アソシエーション・リクエスト：Association  Request）に特定のエレメントビットが付加されているか否かを確認する（シーケンスＳｅｑ５Ａ）。
【００７０】
そして、該仮接続用無線設定要求（アソシエーション・リクエスト：Association  Request）に特定のエレメントビットが付加されていた場合には、図２の場合と同様、無線アクセスポイント１は、無線設定情報選択部１３を起動する。しかし、図４においては、無線設定情報選択部１３は、図２のシーケンスＳｅｑ６の場合とは異なり、無線アクセスポイント１側において本接続用無線設定情報選択処理を行うのではなく、無線クライアント端末２側において本接続用無線設定情報選択処理を行わせるための準備動作を行う。
【００７１】
すなわち、無線アクセスポイント１側の無線設定情報選択部１３は、自無線アクセスポイント１において使用することが可能な無線設定情報のうち、該仮接続用無線設定要求（アソシエーション・リクエスト：Association  Request）の送信元の無線クライアント端末２において本接続用として使用することが可能なすべての無線設定情報を抽出したリストを本接続用無線設定情報リストとして作成する（シーケンスＳｅｑ６Ａ）。
【００７２】
そして、無線アクセスポイント１側の無線設定情報選択部１３は、該仮接続用無線設定要求（アソシエーション・リクエスト：Association  Request）の送信元の無線クライアント端末２に対して、まず、特定のエレメントビットが付加されている仮接続用無線設定応答（アソシエーション・レスポンス：Association  Response）を送信する (シーケンスＳｅｑ７)。その結果、無線アクセスポイント１と無線クライアント端末２との間が仮接続された状態になる。
【００７３】
ここで、図４においては、無線クライアント端末２は、シーケンスＳｅｑ７において仮接続用無線設定情報による無線アクセスポイント１と無線クライアント端末２との間のＷｉ−Ｆｉ接続（無線接続）を完了すると、図２のシーケンスＳｅｑ８のような本接続用無線設定情報待受状態遷移処理を実施して、無線アクセスポイント１から本接続用の無線設定情報が送信されてくるのを待ち受けるのではなく、本接続用無線設定情報選択処理を無線クライアント端末２側のアプリケーション２０によって実施するか否かを判断するために、アプリケーション２０を起動する。
【００７４】
つまり、図４のシーケンスチャートにおいては、無線クライアント端末２は、シーケンスＳｅｑ７において無線アクセスポイント１からエレメントビットが付加された仮接続用無線設定応答（アソシエーション・レスポンス：Association  Response）を受け取ると、アプリケーション２０を起動して、まず、図２において無線アクセスポイント１側の無線設定選択実施判断部１２における無線設定選択実施判断処理と同様の処理を実行する。すなわち、アプリケーション２０は、無線アクセスポイント１から受け取った仮接続用無線設定応答（アソシエーション・レスポンス：Association  Response）に特定のエレメントビットが付加されているか否かを確認する（シーケンスＳｅｑ２１）。
【００７５】
無線クライアント端末２は、アプリケーション２０の無線設定選択実施判断処理において、無線アクセスポイント１からの該仮接続用無線設定応答（アソシエーション・レスポンス：Association  Response）に特定のエレメントビットが付加されていると判断した場合には、本接続用無線設定情報選択処理を無線クライアント端末２側において実施する必要があると判断する。そして、次に、無線アクセスポイント１から本接続用無線設定情報リスト(自無線クライアント端末２において本接続用として使用することが可能なすべての無線設定情報に関する本接続用無線設定情報リスト)が送信されてきているか否かを確認する。
【００７６】
一方、無線アクセスポイント１側においては、仮接続用無線設定要求（アソシエーション・リクエスト：Association  Request）の送信元の無線クライアント端末２に対して、特定のエレメントビットが付加されている仮接続用無線設定応答（アソシエーション・レスポンス：Association  Response）を送信して、該無線クライアント端末２との間を仮接続する（シーケンスＳｅｑ７）。しかる後、無線アクセスポイント１は、該無線クライアント端末２側において本接続用無線設定情報選択処理を実施させるために、シーケンスＳｅｑ６Ａにおいて作成した本接続用無線設定情報リストを、該無線クライアント端末２に対して送信している（シーケンスＳｅｑ２２）。
【００７７】
無線クライアント端末２のアプリケーション２０は、無線アクセスポイント１から本接続用無線設定情報リストが送信されてきたことを確認すると、本接続用無線設定選択処理を実施することにより、無線アクセスポイント１から受け取った接続用無線設定情報リストの中から、いずれか任意の無線設定情報を無線アクセスポイント１との間を本接続するための選択無線設定情報として選択する（シーケンスＳｅｑ２３）。ここで、該本接続用無線設定選択処理においては、無線アクセスポイント１から受け取った本接続用無線設定情報リストを無線クライアント端末２のディスプレイ上に画面表示させて、本接続用の無線設定情報を選択無線設定情報として無線クライアント端末２の利用者に選択させる等の利用者操作を伴う選択動作であっても良い。
【００７８】
しかる後、無線クライアント端末２は、該本接続用無線設定選択処理による本接続用に関する無線設定情報の選択結果を、選択無線設定情報として、無線アクセスポイント１に対して送信する（シーケンスＳｅｑ２４）。無線アクセスポイント１は、無線クライアント端末２から本接続用無線設定情報の選択結果である選択無線設定情報を受け取ると、シーケンスＳｅｑ９ＡまたはシーケンスＳｅｑ９Ｂに移行して、受け取った該選択結果に従った本接続を実施するために、該選択結果の選択無線設定情報と全く同じ本接続用無線設定情報を無線クライアント端末２に対して送信する（シーケンスＳｅｑ９ＡまたはシーケンスＳｅｑ９Ｂ）。
【００７９】
しかる後、図２のシーケンスＳｅｑ１０〜シーケンスＳｅｑ１２と全く同様、一般的な通常のオーセンティケーション(Authentication)とアソシエーション（Association）との動作を行って、本接続用無線設定情報による無線アクセスポイント１と無線クライアント端末２との間のＷｉ−Ｆｉ接続（無線接続）を完了する。すなわち、無線クライアント端末２は、無線アクセスポイント１から受け取った本接続用無線設定情報を用いて、本接続用オーセンティケーション(Authentication)を無線アクセスポイント１との間で実施する（シーケンスＳｅｑ１０）。認証が得られると、無線クライアント端末２は、本接続用無線設定要求（アソシエーション・リクエスト：Association  Request）を、無線アクセスポイント１に送信し(シーケンスＳｅｑ１１)、無線アクセスポイント１から本接続用無線設定応答（アソシエーション・レスポンス：Association  Response）を返信させる（シーケンスＳｅｑ１２）。その結果、本接続用無線設定情報による無線アクセスポイント１と無線クライアント端末２との間のＷｉ−Ｆｉ接続（無線接続）を完了させることができる。
【００８０】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００８１】
１          無線アクセスポイント
１Ａ        無線アクセスポイント
２          無線クライアント
２Ａ        無線クライアント端末
３          ＲＦＩＤタグ
３Ａ        ＲＦＩＤタグ
１０        無線設定情報
１０Ａ      無線設定情報
１０Ａａ    第１本接続用無線設定情報
１０Ａｂ    第２本接続用無線設定情報
１０ａ      第１本接続用無線設定情報
１０ｂ      第２本接続用無線設定情報
１０ｃ      仮接続用無線設定情報
１０ｄ      無線選択用設定情報
１１        無線通信部
１１Ａ      無線通信部
１２        無線設定選択実施判断部
１３        無線設定情報選択部
２０        アプリケーション
２０Ａ      アプリケーション
２１        無線通信部
２１Ａ      無線通信部
３０        無線設定情報
３０Ａ      無線設定情報
３０Ａａ    第１本接続用無線設定情報
３０ｃ      仮接続用無線設定情報
１００      無線ＬＡＮシステム
１００Ａ    無線ＬＡＮシステム
【図１】
2020068460.tif 000003
【図２】
2020068460.tif 000004
【図３】
2020068460.tif 000005
【図４Ａ】
2020068460.tif 000006
【図４Ｂ】
2020068460.tif 000007
【図５】
2020068460.tif 000008